(57)【要約】【課題】設置に必要な面積を小さくできる蓄電池装置を提供する。【解決手段】蓄電池装置11は、筐体17、複数の蓄電池モジュール15および制御ユニット16を備える。蓄電池モジュール15は、蓄電池本体20、および蓄電池本体20の上部側に設けられた端子部23を有し、筐体17内に配置される。制御ユニット16は、ユニット本体41、およびユニット本体41に設けられ蓄電池モジュール15の端子部23と接続される電源コネクタ47および通信コネクタを有し、筐体17内で蓄電池モジュール15の端子部23よりも上側に配置される。【選択図】図１
2019175561.tif 000002
【特許請求の範囲】
【請求項１】
筐体と；
蓄電池本体、およびこの蓄電池本体の上部側に設けられた端子部を有し、前記筐体内に配置される複数の蓄電池モジュールと；
ユニット本体、およびこのユニット本体に設けられ前記蓄電池モジュールの前記端子部と接続される接続部を有し、前記筐体内で前記蓄電池モジュールの前記端子部よりも上側に配置される制御ユニットと；
を具備することを特徴とする蓄電池装置。
【請求項２】
前記制御ユニットの前記接続部は、前記ユニット本体に外向きまたは下向きに配置されている
ことを特徴とする請求項１記載の蓄電池装置。
【請求項３】
前記制御ユニットは、外部接続用の電源端子台および通信接続部を有し、これら電源端子台と通信接続部とが前記ユニット本体の異なる面にそれぞれ設けられている
ことを特徴とする請求項１または２記載の蓄電池装置。
【請求項４】
前記蓄電池モジュールは、前記端子部が前記蓄電池本体の上部側で一側に寄った位置に設けられている
ことを特徴とする請求項１ないし３いずれか一記載の蓄電池装置。
【請求項５】
前記制御ユニットが所定の向きでのみ前記筐体に取り付けられるように位置決めする位置決め構造を具備する
ことを特徴とする請求項１ないし４いずれか一記載の蓄電池装置。
【請求項６】
前記制御ユニットは、前記筐体に対して移動可能に取り付けられている
ことを特徴とする請求項１ないし５いずれか一記載の蓄電池装置。
【発明の詳細な説明】
【技術分野】
【０００１】
本発明の実施形態は、複数の蓄電池モジュールおよび制御ユニットをケースに収納した蓄電池装置に関する。
【背景技術】
【０００２】
従来、例えば太陽光発電モジュールなどを備える発電システムや商用電力を供給する系統電源などと接続される蓄電システムがある。この蓄電システムは、蓄電池装置を用い、太陽光発電システムの発電電力を蓄電池装置に蓄電したり、系統電源の料金が安い夜間などの時間帯に電力を蓄電池装置に蓄電し、必要時に蓄電池装置に蓄電した電力を負荷に供給するように構成されている。
【０００３】
蓄電池装置は、筐体、およびこの筐体内に組み込まれる複数の蓄電池モジュールおよびこれら蓄電池モジュールの充放電を監視・制御する制御ユニット（ＢＭＵ）を備えた構成となっている。
【０００４】
このように構成されている蓄電池装置は、筐体内に複数の蓄電池モジュールや制御ユニットなどを配置するため、大形になりやすいので、小形化が求められている。例えば、都心部などの住宅では、蓄電池装置を設置する場所および広さが限られており、蓄電池装置の設置に必要な面積を小さくすることが求められている。
【先行技術文献】
【特許文献】
【０００５】
【特許文献１】特開２０１６−２０７２５７号公報
【発明の概要】
【発明が解決しようとする課題】
【０００６】
本発明が解決しようとする課題は、設置に必要な面積を小さくできる蓄電池装置を提供することである。
【課題を解決するための手段】
【０００７】
実施形態の蓄電池装置は、筐体、複数の蓄電池モジュールおよび制御ユニットを備える。蓄電池モジュールは、蓄電池本体、および蓄電池本体の上部側に設けられた端子部を有し、筐体内に配置される。制御ユニットは、ユニット本体、およびユニット本体に設けられ蓄電池モジュールの端子部と接続される接続部を有し、筐体内で蓄電池モジュールの端子部よりも上側に配置される。
【発明の効果】
【０００８】
実施形態の蓄電池装置によれば、設置に必要な面積を小さくすることが期待できる。
【図面の簡単な説明】
【０００９】
【図１】第１の実施形態を示す蓄電池装置の一部を透視して示す背面図である。
【図２】同上蓄電池装置の内部の平面図である。
【図３】同上蓄電池装置の配線を模式的に示す平面図である。
【図４】同上蓄電池装置の制御ユニットの分解斜視図である。
【図５】同上蓄電池装置の一部を筐体の外部側から示す分解斜視図である。
【図６】同上蓄電池装置の一部を筐体の内部側から示す分解斜視図である。
【図７】同上蓄電池装置の分解斜視図である
【図８】同上蓄電池装置の斜視図である
【図９】第２の実施形態を示す蓄電池装置の制御ユニットの平面図である。
【図１０】第３の実施形態を示す蓄電池装置の制御ユニットの平面図である。
【図１１】第４の実施形態を示す蓄電池装置の筐体および制御ユニットの平面図である。
【図１２】第５の実施形態を示す蓄電池装置の筐体および制御ユニットの平面図である。
【図１３】第６の実施形態を示す蓄電池装置の内部で制御ユニットを移動させた状態の平面図である。
【図１４】第７の実施形態を示す蓄電池装置の端子台を移動させた状態の平面図である。
【図１５】第８の実施形態を示す蓄電池装置の基板などの使用状態の平面図である。
【図１６】同上蓄電池装置の基板などを移動させた状態の平面図である。
【発明を実施するための形態】
【００１０】
以下、第１の実施形態を、図１ないし図８を参照して説明する。
【００１１】
図７および図８に蓄電池装置11を示す。この蓄電池装置11は、例えば住宅などに設置される蓄電システムに用いられる。蓄電池装置11は、例えば太陽光発電モジュールなどを備える発電システムなどから電力や商用電力を供給する系統電源によって蓄電し、夜間などの時間帯や系統電源の停電時などの必要時に蓄電した電力を負荷へと供給するように構成されている。
【００１２】
そして、この蓄電池装置11は、複数の蓄電池モジュール15を備えている。また、この蓄電池装置11は、制御ユニット16を備えている。さらに、この蓄電池装置11は、蓄電池モジュール15および制御ユニット16を収納する筐体17を備えている。
【００１３】
蓄電池モジュール15は、本実施形態では６つ備えられている。なお、各図において、蓄電池モジュール15は、４つのみを図示し、２つはその他の４つと同様であるから図示を省略している。蓄電池モジュール15は、筐体17内に、３つずつ２列配置されている。具体的に、これら蓄電池モジュール15は、筐体17の内部にて長手方向（幅方向）に３つずつ、筐体17の短手方向（奥行き方向）に２つずつ配置されている。
【００１４】
各蓄電池モジュール15は、蓄電池本体20を備えている。また、各蓄電池モジュール15は、監視部21を備えている。さらに、各蓄電池モジュール15は、ホルダ部22を備えている。さらに、各蓄電池モジュール15は、端子部23を備えている。そして、各蓄電池モジュール15は、取手24を備えている。
【００１５】
蓄電池本体20は、電力を蓄える電池モジュール（セル）である。この蓄電池本体20は、例えばリチウムイオン電池など、充放電可能な二次電池である。この蓄電池本体20は、例えば直方体状に形成されている。この蓄電池本体20は、上下に長手状、すなわち縦長に形成され、長手方向を上下方向に沿わせた状態で筐体17に収納される。すなわち、この蓄電池本体20（蓄電池モジュール15）は、縦置き配置される。
【００１６】
監視部21は、蓄電池本体20の状態、例えば電圧や温度を監視するものである。この監視部21は、蓄電池本体20よりも薄型の直方体状に形成されている。また、この監視部21は、監視部本体である図示しない監視ユニット（ＣＭＵ）を備えている。そして、この監視部21は、蓄電池本体20の一方の側面に重ねられて配置されている。
【００１７】
ホルダ部22は、蓄電池本体20と監視部21とを一体的に保持する部分である。このホルダ部22は、例えば帯状の金属板により形成され、蓄電池本体20と監視部21とを結束保持するバンド状となっている。
【００１８】
端子部23は、蓄電池モジュール15（蓄電池本体20）と外部機器とを接続するためのものである。本実施形態において、この端子部23は、蓄電池モジュール15（蓄電池本体20）と制御ユニット16とを有線接続するものである。この端子部23は、蓄電池本体20の上部の一側に寄った位置に設けられ、すなわち監視部21の上部に設けられている。また、この端子部23は、上部が蓄電池本体20の上面に対して上方に突出している。さらに、この端子部23は、図２および図３に示すように、端子31，32を備えている。また、この端子部23は、通信端子としての情報入力端子34および情報出力端子35を備えている。そして、この端子部23は、端子31，32を覆うキャップ部36を備えている。
【００１９】
端子31，32は、蓄電池本体20の充放電端子であるプラス端子およびマイナス端子であり、それぞれ制御ユニット16と電気的に接続され、蓄電池本体20の放電時には制御ユニット16を介して電力を出力し、蓄電池本体20の充電時には制御ユニット16を介して発電システムや系統電源から蓄電池本体20へと充電用の電力が供給される部分である。これら端子31，32は、監視部21（蓄電池モジュール15）の上部に互いに離れて配置され、この監視部21（蓄電池モジュール15）の上部に露出しているとともに、キャップ部36により上方が覆われている。
【００２０】
情報入力端子34および情報出力端子35は、監視部21の監視ユニットと電気的に接続されているとともに、制御ユニット16を介して図示しないコントローラなどの外部機器と電気的に接続される部分である。これら情報入力端子34および情報出力端子35は、監視部21（蓄電池モジュール15）の上部にて端子31，32間に互い隣接して配置されている。これら情報入力端子34および情報出力端子35は、例えば四角形状に形成され、上方に向けて開口されている。そして、これら情報入力端子34および情報出力端子35は、キャップ部36によって覆われておらず、端子部23の上部に露出している。
【００２１】
取手24は、蓄電池モジュール15を持ち上げ支持可能とするものである。この取手24は、蓄電池本体20に対して上下動可能（上下にスライド可能）に設けられ、上方に移動（スライド）させた位置が、蓄電池本体20に対して上方に突出して蓄電池モジュール15を持ち運び可能とする引き出し位置となり、下方に移動（スライド）させた位置が蓄電池本体20に対して上方から重ねられる収納位置となる。この取手24は、例えば金属板などにより一体にプレス成形されている。
【００２２】
そして、蓄電池モジュール15は、端子部23が筐体17の短手方向の外側または内側となるようにして筐体17内に配置されている。
【００２３】
また、図１ないし図７に示すように、制御ユニット16は、電源管理装置（ＢＭＵ（Battery Management Unit））などとも呼ばれるもので、各蓄電池モジュール15（蓄電池本体20）の状態、例えば電圧や温度を監視し、異常検出時に蓄電池モジュール15（蓄電池本体20）を保護するとともに、各蓄電池本体20の充放電電流を計測して所定の演算などをし、かつ、蓄電池本体20の情報や、計測・演算情報などをコントローラなどの外部機器へ通知するものである。
【００２４】
制御ユニット16は、ユニット本体41、制御ユニット部としての（第１および第２の）回路基板42，43、外部接続用の電源端子台44および通信接続部45を備えている。さらに、制御ユニット16は、ブレーカ（スイッチ）46を備えていてもよい。さらに、制御ユニット16は、接続部としての電源コネクタ47および通信コネクタ48を備えている。そして、この制御ユニット16は、筐体17に対してブラケット49，49により固定される。この制御ユニット16は、筐体17に対して固定された状態で、複数の蓄電池モジュール15の上方に亘り筐体17内に配置され、蓄電池モジュール15に対して上方に離れて位置している。すなわち、制御ユニット16は、筐体17内で蓄電池モジュール15の端子部23よりも上側に配置されている。
【００２５】
ユニット本体41は、長手状で、かつ、箱状、すなわち直方体状に形成されている。このユニット本体41は、厚みが薄く設定されている。すなわち、このユニット本体41は、長手方向（幅方向）および短手方向（奥行き方向）と比較して高さ方向に小さく形成されている。このため、このユニット本体41は、長方形状の底面部50と、長手方向の両端部に位置する（一方および他方の）端面部51，52と、短手方向の両端部に位置する（一方および他方の）側面部53，54と、長方形状の天面部55とを備えている。本実施形態において、このユニット本体41は、上側が開口したケース部57と、このケース部57の開口を覆う蓋部58とに分割されている。そして、このユニット本体41は、長手方向の両端部の位置で、ブラケット49，49により筐体17に対して固定される。
【００２６】
回路基板42は、蓄電池モジュール15の充放電を制御する充放電制御基板である。この回路基板42は、ユニット本体41の長手方向の一端側にて底面部50上に配置されている。この回路基板42は、電源端子台44およびブレーカ46と電気的に接続されている。また、この回路基板42は、電源コネクタ47とユニット本体41内でコネクタ付ケーブルなどの電源用配線PL1を介して電気的に接続される。
【００２７】
回路基板43は、蓄電池モジュール15に対する情報の入出力用の通信制御基板である。この回路基板43は、ユニット本体41の長手方向の一端側にて底面部50上に配置されている。また、この回路基板43は、ユニット本体41の短手方向に回路基板42と並んで配置され、この回路基板42から離れて位置している。この回路基板43は、電源端子台44および通信接続部45とそれぞれ電気的に接続されている。また、この回路基板43には、例えば通信コネクタ48が実装されている。
【００２８】
電源端子台44は、制御ユニット16をコントローラや分電盤、および、発電システムのパワーコンディショナなどの外部機器と電気的に接続して、充放電ラインを構成するものである。この電源端子台44は、例えば制御ユニット16（ユニット本体41）の長手方向の一端側、本実施形態ではユニット本体41の端面部51の位置に配置されている。また、この電源端子台44は、ユニット本体41の天面部55（蓋部58）の一部（端面部51と連続する位置）に形成された切欠部61により、ユニット本体41（制御ユニット16）の上部に露出している。
【００２９】
通信接続部45は、制御ユニット16をコントローラや分電盤、および、発電システムのパワーコンディショナなどの外部機器と電気的に接続して、通信ラインを構成するコネクタである。この通信接続部45は、例えば制御ユニット16（ユニット本体41）の長手方向の一端側、本実施形態ではユニット本体41の側面部54の端面部51寄りの位置に配置されている。すなわち、電源端子台44と通信制御部45とは、ユニット本体41の異なる面（端面部51と側面部54）にそれぞれ設けられ、互いに離反した状態に配置されている。
【００３０】
ブレーカ46は、過電流に対して蓄電池装置11などを保護するための遮断器である。このブレーカ46は、例えば制御ユニット16（ユニット本体41）の長手方向の一端側、本実施形態ではユニット本体41の端面部51の位置にて電源端子台44と並んで配置されている。また、このブレーカ46は、電源端子台44と電気的に接続されている。このブレーカ46は、必須の構成ではない。
【００３１】
電源コネクタ47は、各蓄電池モジュール15の端子31，32と電気的に接続されるものである。電源コネクタ47は、蓄電池モジュール15（蓄電池本体20）毎に設けられている。これら電源コネクタ47は、ユニット本体41の側面部53，54に、それぞれ３つずつ互いに離れて配置されているとともに、接続方向が側面部53，54に垂直となる外向きとして配置されている。これら電源コネクタ47は、ユニット本体41の長手方向の一端側に配置される回路基板42，43などよりも他端側に寄った位置に配置されている。そのため、ユニット本体41の側面部54には、他端側に寄った位置に電源コネクタ47が配置されることで、一端側にあいたスペースに通信接続部45および通信コネクタ48が配置されている。そして、各電源コネクタ47は、それぞれ対応する蓄電池モジュール15の端子31，32と電源用配線PL2，PL2を介して電気的に接続される。すなわち、各電源コネクタ47には、蓄電池モジュール15のプラス側とマイナス側とがそれぞれ接続される。また、隣接する電源コネクタ47の異極同士が、ユニット本体41内で電源用配線PL1を介して互いに電気的に接続されている。そして、終端に位置する電源コネクタ47，47は、それぞれユニット本体41内で電源用配線PL1を介して回路基板42と電気的に接続されている。このため、電源コネクタ47を介して、複数の蓄電池モジュール15が互いに電気的に直列に接続される。
【００３２】
通信コネクタ48は、いずれか１つの蓄電池モジュール15の情報入力端子34と汎用のＬＡＮケーブルなどを介して電気的に接続されるものである。この通信コネクタ48は、例えばユニット本体41の側面部54に露出して配置されている。例えば本実施形態においては、６つの蓄電池モジュール15が、情報入力端子34および情報出力端子35を介して汎用のＬＡＮケーブルなどの情報用配線IL1により情報入力端子34と情報出力端子35とが制御ユニット16を介さずに交互に接続され、一端の蓄電池モジュール15の蓄電池本体20の情報入力端子34が通信コネクタ48と接続され、他端（終端）の蓄電池モジュール15の蓄電池本体20の情報出力端子35にループ状の配線IL2が接続されている。
【００３３】
なお、制御ユニット16と接続される外部のコントローラ側には、ユーザによる蓄電池装置11（蓄電池モジュール15（蓄電池本体20））の充放電指示や操作設定などを受け付ける入力受付部、監視部21から制御ユニット16を介して取得される蓄電池装置11（蓄電池モジュール15）の情報などを表示する画面表示部などを備えていてもよい。
【００３４】
また、図１ないし図３、図５ないし図８に示すように、筐体17は、蓄電池モジュール15および制御ユニット16を収納するものである。この筐体17は、長手状で、かつ、箱状、すなわち直方体状に形成されている。この筐体17は、蓄電池モジュール15が上下方向に沿って上方から収納されるように構成されている。したがって、この筐体17の高さは、蓄電池モジュール15の高さよりも大きく設定されている。この筐体17は、本実施形態において、長方形状の底板64と、長手方向（幅方向）の両端部に位置する（一方および他方の）端板65，66と、短手方向（奥行き方向）の両端部に位置する側板67，68と、略長方形状の天板69とを有している。また、この筐体17の内部には、仕切り部71が取り付けられている。さらに、この筐体17には、長手方向の一端部に、保持部73が突設されている。さらに、この筐体17には、保持部73を覆うカバー74が着脱可能に取り付けられる。そして、本実施形態において、この筐体17は、例えば本体部76と、蓋部77とに分割されている。また、この筐体17の下部には、設置台79が取り付けられている。
【００３５】
仕切り部71は、筐体17（本体部76）の内部を、蓄電池モジュール15の数および大きさに合わせて区画するものである。すなわち、この仕切り部71によって、筐体17（本体部76）の内部に、蓄電池モジュール15がそれぞれ収納される収納部81が区画される。この仕切り部71は、本体部76の上端近傍に配置されている。本実施形態において、この仕切り部71は、筐体17の長手方向に沿って位置する第１仕切り部としての第１梁部83と、筐体17の短手方向に沿って位置する第２仕切り部としての第２梁部84，84とを備える格子状に形成されている。すなわち、底板64、端板65，66、側板67，68、および、仕切り部71によって、蓄電池モジュール15を出し入れする収納部81が囲まれている。したがって、本実施形態において、収納部81は、筐体17の長手方向（幅方向）に３つ、短手方向（奥行き方向）に２つ、それぞれ略均等な大きさに区画されている。また、この仕切り部71は、収納部81に蓄電池モジュール15を収納した状態で、この蓄電池モジュール15の取手24の一部が上方から重ねられ、この取手24の一部を介してボルトなどの固定部材によって蓄電池モジュール15を筐体17の内部に固定可能となっている。
【００３６】
保持部73は、筐体17の長手方向の一端部である端板65の外側に突設されている。すなわち、この保持部73は、制御ユニット16のユニット本体41の長手方向の一端側に位置する筐体17の側部である端板65の外側に位置している。この保持部73は、板状に形成されており、上下方向を厚み方向とし、略水平方向に沿って端板65から突出している。この保持部73は、端板65に設けられた挿入開口部87の下部に位置している。さらに、この保持部73には、開口88が形成されている。
【００３７】
挿入開口部87は、制御ユニット16とコントローラや分電盤、および、発電システムのパワーコンディショナなどの外部機器とを電気的に接続する配線Ｃが筐体17の内部に挿入されるものである。この挿入開口部87は、開口88（保持部73）の上方の位置で筐体17（端板65）に開口されている。すなわち、この挿入開口部87は、制御ユニット16（ユニット本体41）の長手方向の一端側である電源端子台44側の端部（端面部51）側に開口されている。この挿入開口部87は、例えば本体部76の上端部寄りの位置に形成されている。また、この挿入開口部87は、電源端子台44に近接した位置に形成されている。
【００３８】
開口88は、例えば保持部73に円形状に開口され、配線Ｃが上下方向に沿って挿通されるものである。開口88には、この開口88を液密に閉塞するとともに配線Ｃを液密に挿通するブッシュが取り付けられている。
【００３９】
カバー74は、開口88（保持部73）の上方および挿入開口部87を覆ってこれらを水などに対して保護するものである。このカバー74は、筐体17（端板65）側、および、開口88（保持部73）側が開口して形成されている。このカバー74は、筐体17に対して、端板65の挿入開口部87の外縁部の位置にて図示しないねじなどの取付部材により着脱可能に取り付けられ、筐体17に取り付けた状態で端板65および保持部73に対して密着されるようになっている。すなわち、このカバー74は、筐体17（本体部76）の側部である端板65の外側に着脱可能に取り付けられる。
【００４０】
本体部76は、全体として上側が開口された直方体状に形成され、筐体17の下側を構成している。この本体部76には、各蓄電池モジュール15がそれぞれ収納部81に上方から収納される。また、この本体部76よりも上方に、制御ユニット16が位置している。すなわち、この制御ユニット16は、本体部76内に位置していない。また、この本体部76は、蓋部77よりも大きい容積を有し、筐体17の過半を構成している。
【００４１】
蓋部77は、下側が開口されて形成され、本体部76の上部を覆ってこの本体部76に着脱可能に取り付けられる。この蓋部77は、本体部76に取り付けられた状態で、筐体17を液密に封じるようになっている。また、この蓋部77の内方には、各蓄電池モジュール15の上方、すなわち本体部76よりも上方に配置された制御ユニット16が位置する。
【００４２】
設置台79は、蓄電池装置11を設置面などに設置するためのものである。この設置台79は、例えば角筒状に形成されている。そして、この設置台79は、筐体17の長手方向に離間されて一対配置されている。
【００４３】
次に、蓄電池装置11の作用を説明する。
【００４４】
蓄電池装置11を設置する際には、分離状態にある筐体17および複数の蓄電池モジュール15を個別に設置場所に搬入し、筐体17の本体部76を設置するとともに、各蓄電池モジュール15を本体部76の各収納部81に上方から挿入して収納する。このように、分離状態にある筐体17および各蓄電池モジュール15を個別に設置場所に持ち運んで設置することができるため、蓄電池モジュール15の質量が大きくても、設置を行う作業者の負担を軽減することができる。
【００４５】
蓄電池モジュール15を本体部76の収納部81に挿入する際、設置作業者は、各蓄電池モジュール15の取手24を蓄電池本体20から上方へと移動（スライド）させた引き出し位置とし、この取手24を把持して収納部81へと蓄電池モジュール15を上方から挿入する。蓄電池モジュール15の下端部が底板64に当接すると、設置作業者は取手24を下方へと押し込むことで、蓄電池本体20の上面に重なる収納位置へと取手24を蓄電池本体20に対して下方に移動（スライド）させる。
【００４６】
この状態で、取手24は、仕切り部71（第２梁部84）上に一部が重ねられ、ねじなどによりこの仕切り部71（第２梁部84）に対して固定されることで、各蓄電池モジュール15が筐体17（本体部76）に固定される。なお、蓄電池モジュール15を筐体17（本体部76）から取り外す場合には、上記の作業を逆順に行うことで容易に取り外すことができる。
【００４７】
各蓄電池モジュール15は、端子部23が筐体17の外側または内側となるように、筐体17（本体部76）に収納される。すなわち、本実施形態において、側板67側に位置する各蓄電池モジュール15の端子部23は、それぞれ側板67側となり、側板68側に位置する各蓄電池モジュール15の端子部23は、それぞれ側板68側となるように、筐体17（本体部76）に収納される。
【００４８】
さらに、制御ユニット16をブラケット49，49により筐体17（本体部76）に固定する。このとき、ブラケット49，49は、制御ユニット16のユニット本体41の底面部50の下部に対して、長手方向の両端部の位置にねじなどを介して固定し、このブラケット49，49の両端側を筐体17（本体部76）の上端部の四隅の位置にねじなどにより固定することで、制御ユニット16を、ユニット本体41の長手方向を筐体17（本体部76）の長手方向に沿わせた状態で筐体17に固定する。すなわち、制御ユニット16は、蓄電池モジュール15の上方のスペースにて、これら蓄電池モジュール15の上方に亘り位置するように筐体17に固定される。換言すれば、蓄電池モジュール15が、筐体17（本体部76）の内部にてユニット本体41の長手方向に沿う列をこの長手方向と交差する方向に複数（２列）なすように配置される。この状態で、制御ユニット16は、側板67側の列の蓄電池モジュール15の端子部23と側板68側の列の蓄電池モジュール15の端子部23との間に位置する。換言すれば、上方から見て制御ユニット16よりも外側に端子部23が位置する（図２および図３）。
【００４９】
そして、各蓄電池モジュール15および制御ユニット16に配線を接続する。各蓄電池モジュール15は、端子31，32を電源用配線PL2により制御ユニット16の電源コネクタ47とそれぞれ電気的に接続する。また、隣接する蓄電池モジュール15の情報入力端子34および情報出力端子35を、情報用配線IL1により順次接続するとともに、始端の蓄電池モジュール15の情報入力端子34は制御ユニット16の通信コネクタ48に情報用配線IL1により接続し、終端の蓄電池モジュール15の情報出力端子35にはループ状の配線IL2を接続する。
【００５０】
そして、制御ユニット16は、電源端子台44および通信接続部45に対して配線Ｃを接続する。この配線Ｃは、例えばコントローラおよび分電盤、あるいは発電システムのパワーコンディショナなどと電気的に接続された、電源線C1および通信線C2を備えるものであり、図５および図６に示すように、カバー74を筐体17から取り外した状態で、筐体17（本体部76）から突出する保持部73に開口された開口88（ブッシュ）に下方から上方へと、すなわち上下方向に沿って挿通し、この開口88の上方に位置する挿入開口部87から筐体17（本体部76）の内部へと導入する。この挿入開口部87は、電源端子台44および通信接続部45と近接して位置しているので、電源線C1を電源端子台44、通信線C2を通信接続部45へとそれぞれ接続する。この結果、回路基板42を介して複数の蓄電池モジュール15が直列に電源線C1に接続されて充放電ラインを構成し、回路基板43を介して複数の蓄電池モジュール15が直列に通信線C2に接続されて通信ラインを構成する。保持部73、挿入開口部87および開口88は、カバー74を筐体17（本体部76）の端板65にねじなどの固定部材により固定することで覆われる。
【００５１】
なお、各蓄電池モジュール15と制御ユニット16との接続と、制御ユニット16と配線Ｃとの接続とは、どちらを先に行ってもよい。
【００５２】
この後、筐体17の蓋部77を本体部76に上方から被せて制御ユニット16を覆い、この蓋部77を本体部76に固定することで、蓄電池装置11の設置が完了する。
【００５３】
そして、蓄電池装置11は、発電システムまたは系統電源から供給された電力のうち、所定の充電電力値で蓄電池本体20が充電される。分電盤に対して系統電源から電力が供給されているときには、例えば系統電源から一般負荷に電力を供給し、蓄電池装置11は、特定の負荷に給電する。また、停電時、例えば発電システムの自立運転機能により出力された電力は、非常時に優先的に動作させる特定の負荷に対して、あるいは、蓄電池装置11の充電に充てるように供給される。これらの充放電は、監視部21による蓄電池モジュール15（蓄電池本体20）の監視結果や分電盤を介して検出される系統電源や発電システムの状態に応じて自動的に、あるいはユーザの指示入力を介してそれぞれ制御ユニット16により制御される。
【００５４】
以上のように、第１の実施形態の蓄電池装置11によれば、制御ユニット16を、筐体17内で蓄電池モジュール15の端子部23よりも上側に配置するため、筐体17の幅や奥行を小形化し、設置に必要な面積を小さくすることができる。
【００５５】
さらに、制御ユニット16を、筐体17内で蓄電池モジュール15の端子部23よりも上側に配置するため、制御ユニット16の接続部である電源コネクタ47および通信コネクタ48と蓄電池モジュール15の端子部23との間の配線作業性を向上できる。
【００５６】
また、制御ユニット16の接続部である電源コネクタ47および通信コネクタ48をユニット本体41に外向きに配置するため、これら電源コネクタ47および通信コネクタ48と蓄電池モジュール15の端子部23との間の接続距離が短くなり、配線を長く引き回す必要がなくて、配線を簡素化できるとともに、配線作業性を向上できる。
【００５７】
さらに、端子部23が蓄電池本体20の一側に寄った位置に設けられた蓄電池モジュール15を、その端子部23が筐体17内で外側となるように配置するため、制御ユニット16が蓄電池モジュール15の上側に配置されている状態でも、蓄電池モジュール15の端子部23に対して容易に配線作業することができる。
【００５８】
また、制御ユニット16の電源端子台44と通信制御部45は、ユニット本体41の異なる面（端面部51と側面部54）にそれぞれ設けるため、それぞれに接続される電源線C1と通信線C2とを離すことができ、電源線C1に流れる電流により通信線C2が受けるノイズを低減できる。
【００５９】
さらに、制御ユニット16が電源端子台44および通信接続部45を備えるため、配線を簡素化できるとともに、配線作業性を向上できる。すなわち、例えば電源端子台44および通信接続部45を筐体17側に設ける構成の場合には、これら電源端子台44および通信接続部45と制御ユニット16とを別の内部配線でそれぞれ接続しなければならないが、制御ユニット16が電源端子台44および通信接続部45を備えることにより、内部配線を用いずに、電源線C1および通信線C2を制御ユニット16に直接接続することができ、配線を簡素化できるとともに、配線作業性を向上できる。
【００６０】
しかも、制御ユニット16が電源端子台44および通信接続部45を備えるため、筐体17内をより省スペース化し、蓄電池装置11を小形化できる。すなわち、例えば筐体17（本体部76）の側部（端板65など）に電源端子台44や通信接続部45を配置する構成の場合、これら電源端子台44や通信接続部45の設置スペースを筐体17（本体部76）内に設ける必要があるのに対して、本実施形態では、制御ユニット16が電源端子台44および通信接続部45を備えるため、電源端子台44や通信接続部45の配置スペースを筐体17（本体部76）内に設ける必要がなく、複数の蓄電池モジュール15の上方のデッドスペースを有効に利用して、複数の蓄電池モジュール15、制御ユニット16、電源端子台44や通信接続部45を筐体17内に省スペースで配置でき、筐体17の小形化、延いては蓄電池装置11の小形化が可能になる。
【００６１】
また、制御ユニット16は、ユニット本体41の一端側に電源端子台44および通信接続部45を配置し、ユニット本体41の他端側に複数の電源コネクタ47を配置することにより、筐体17の一端側から引き込まれる配線Ｃを電源端子台44および通信接続部45に容易に接続できるとともに、各蓄電池モジュール15と各電源コネクタ47とを容易に接続できる。
【００６２】
さらに、ユニット本体41の他端側に電源コネクタ47を寄せて配置することにより、ユニット本体41の一端側にあいたスペースに通信コネクタ48などを配置することができる。
【００６３】
また、蓄電池モジュール15は、筐体17（本体部76）の内部にてユニット本体41の長手方向に沿う列をこの長手方向と交差する方向に複数なすように配置することで、筐体17（本体部76）内のスペースに複数の蓄電池モジュール15を効率よく配置できる。
【００６４】
次に、図９ないし図１２に、第２ないし第５の実施形態を示す。
【００６５】
第２ないし第５の実施形態は、制御ユニット16が所定の向きでのみ筐体17に取り付けられるように位置決めする位置決め構造91を備える。
【００６６】
図９に示す第２の実施形態の位置決め構造91は、ユニット本体41の長手方向の両端に固定されたブラケット49に、筐体17の本体部76に取り付けるための取付孔92が設けられているが、一端側のブラケット49と他端側のブラケット49とで取付孔92の位置を非対称としている。本実施形態では、各ブラケット49とも他端側に寄った位置に取付孔92が設けられている。また、筐体17の本体部76には、制御ユニット16の一端側と他端側の向きが所定の向きの場合には、各ブラケット49の各取付孔92の位置に対応してねじ止め孔が設けられている。
【００６７】
そして、制御ユニット16の一端側と他端側の向きが所定の向きで本体部76上に配置された場合には、各ブラケット49の各取付孔92と本体部76の各ねじ止め孔とが一致し、ねじ止め固定することができる。一方、制御ユニット16の一端側と他端側とが逆向きで本体部76上に配置された場合には、各ブラケット49の各取付孔92と本体部76の各ねじ止め孔とが一致せず、ねじ止め固定することができない。
【００６８】
このように、位置決め構造91により、制御ユニット16の一端側と他端側とが逆向きで筐体17に組み込まれるのを防止することができる。
【００６９】
しかも、ブラケット49の取付孔92を利用し、非対称とするだけの簡単な構成で、位置決め構造91を実現することができる。
【００７０】
また、図１０に示す第３の実施形態の位置決め構造91は、ユニット本体41の長手方向の両端に固定されたブラケット49に、筐体17の本体部76に取り付けるための取付孔92が設けられているが、一端側のブラケット49と他端側のブラケット49とで一部の取付孔92の形状を異形状としている。本実施形態では、一端側のブラケット49の一方の取付孔92（92a）を＋形、他端側のブラケット49の一方の取付孔92（92b）を四角形としている。また、筐体17の本体部76には、制御ユニット16の一端側と他端側の向きが所定の向きの場合に、各ブラケット49の異形状の取付孔92（92a，92b）にそれぞれ嵌合する位置決め突起が設けられているとともに、各取付孔92の位置に対応してねじ止め孔が設けられている。
【００７１】
そして、制御ユニット16の一端側と他端側の向きが所定の向きで本体部76上に配置された場合には、各ブラケット49の異形状の取付孔92（92a，92b）が本体部76の位置決め突起に嵌合して、各ブラケット49を本体部76上の所定の取付位置に配置でき、各ブラケット49を本体部76にねじ止め固定することができる。一方、制御ユニット16の一端側と他端側とが逆向きで本体部76上に配置される場合には、各ブラケット49の異形状の各取付孔92（92a，92b）が本体部76の位置決め突起に嵌合せず、各ブラケット49を本体部76上の所定の取付位置に配置できないため、各ブラケット49を本体部76に固定することができない。
【００７２】
このように、位置決め構造91により、制御ユニット16の一端側と他端側とが逆向きで筐体17に組み込まれるのを防止することができる。
【００７３】
しかも、ブラケット49の取付孔92を利用し、異形状とするだけの簡単な構成で、位置決め構造91を実現することができる。
【００７４】
また、図１１に示す第４の実施形態の位置決め構造91は、ユニット本体41の長手方向の両端に固定されたブラケット49の形状を異形状としている。本実施形態では、一端側のブラケット49と他端側のブラケット49のうち、他端側のブラケット49にのみ切欠部93を設けている。また、筐体17の本体部76には、制御ユニット16の一端側と他端側の向きが所定の向きの場合に、他端側のブラケット49の切欠部93に入り込む位置決め突起94が設けられている。
【００７５】
そして、制御ユニット16の一端側と他端側の向きが所定の向きで本体部76上に配置された場合には、他端側のブラケット49の切欠部93に本体部76の位置決め突起94が入り込み、両端のブラケット49を本体部76上の所定の取付位置に配置して取り付けることができる。一方、制御ユニット16の一端側と他端側とが逆向きで本体部76上に配置される場合には、一端側のブラケット49が本体部76の位置決め突起94に当接し、一端側のブラケット49を本体部76上の所定の取付位置に配置できず、ブラケット49を本体部76に固定することができない。
【００７６】
このように、位置決め構造91により、制御ユニット16の一端側と他端側とが逆向きで筐体17に組み込まれるのを防止することができる。
【００７７】
また、図１２に示す第５の実施形態の位置決め構造91は、ユニット本体41の両側部の形状を異形状としている。本実施形態では、ユニット本体41の一側の側面部53に溝部95を設けている。また、筐体17の本体部76には、制御ユニット16の一端側と他端側の向きが所定の向きの場合に、ユニット本体41の一側の側面部53の溝部95に進入する位置決め突起96が設けられている。
【００７８】
そして、制御ユニット16の一端側と他端側の向きが所定の向きで本体部76上に配置された場合には、ユニット本体41の一側の側面部53の溝部95に進入する位置決め突起96が入り込み、制御ユニット16を本体部76上の所定の取付位置に配置して取り付けることができる。一方、制御ユニット16の一端側と他端側とが逆向きで本体部76上に配置される場合には、ユニット本体41の他側の側面部54が位置決め突起96に当接し、制御ユニット16を本体部76上の所定の取付位置に配置できず、制御ユニット16を本体部76に固定することができない。
【００７９】
このように、位置決め構造91により、制御ユニット16の一端側と他端側とが逆向きで筐体17に組み込まれるのを防止することができる。
【００８０】
次に、図１３に、第６の実施形態を示す。
【００８１】
蓄電池モジュール15は、端子部23が本体部76内で内向きとなるように収納されている。
【００８２】
制御ユニット16は、筐体17に対して移動可能に取り付けられている。本実施形態では、制御ユニット16は、筐体17の本体部76の上部に、本体部76の上面側の定位置と本体部76の上面側を開口して一端側に移動した移動位置との間で、スライド可能に取り付けられている。本体部76の上部側に長手方向に沿ってガイドレール101が設けられ、このガイドレール101に沿ってスライドするスライド部材102を介して制御ユニット16が支持されている。
【００８３】
制御ユニット16の下面には、複数の電源コネクタ47および通信コネクタ48が、接続方向を下向きとして配置されている。
【００８４】
また、制御ユニット16が収納位置に移動することにより、例えばスイッチが入ったり、センサで検知することにより、制御ユニット16（蓄電池装置11）が起動可能となる。
【００８５】
そして、蓄電池装置11の設置の際、制御ユニット16を移動位置に移動させて本体部76の上面側を開口し、蓄電池モジュール15を本体部76内に収納する。電源用配線PL2により各蓄電池モジュール15の端子部23（端子31，32）と制御ユニット16の電源コネクタ47とをそれぞれ電気的に接続する。また、情報用配線IL1により、隣接する蓄電池モジュール15の端子部23（情報入力端子34および情報出力端子35）を順次接続するとともに、始端の蓄電池モジュール15の端子部23（情報入力端子34）と制御ユニット16の通信コネクタ48とを接続する。
【００８６】
このような配線作業を含む配線作業が完了したら、制御ユニット16を定位置に移動させ、本体部76の上面側に配置する。
【００８７】
このように、制御ユニット16を筐体17に対して移動可能に取り付けているため、蓄電池モジュール15の組み込みの邪魔にならず、蓄電池モジュール15の端子部23と制御ユニット16との配線作業を容易に行え、蓄電池装置11の設置時の作業性を向上できる。
【００８８】
また、制御ユニット16の接続部である電源コネクタ47および通信コネクタ48をユニット本体41に下向きに配置するため、これら電源コネクタ47および通信コネクタ48と蓄電池モジュール15の端子部23との間の接続距離が短くなり、配線を長く引き回す必要がなくて、配線を簡素化できるとともに、配線作業性を向上できる。
【００８９】
さらに、制御ユニット16が定位置に移動することにより、制御ユニット16（蓄電池装置11）が起動可能となるため、制御ユニット16が定位置にないまま起動され、故障などが生じるのを防止できる。
【００９０】
なお、制御ユニット16は、スライドで移動する以外に、例えば制御ユニット16の一端側を支点として回動するように設けられていてもよい。
【００９１】
次に、図１４に、第７の実施形態を示す。
【００９２】
制御ユニット16の端子台111がユニット本体41に対して移動可能に取り付けられている。本実施形態では、端子台111は、定位置（図１４に示す位置）と移動位置（図１４の矢印方向に移動した位置）との間でスライド可能としている。ユニット本体41にガイドレール112が設けられ、このガイドレール112に沿ってスライド可能に端子台111が支持されている。端子台111には、ガイドレール112に対して固定・固定解除可能とする固定具113を備えている。固定具113は、例えばボルト・ナットである。また、端子台111は、電源端子台44を少なくとも含み、信号接続部45をさらに含んでいてもよい。
【００９３】
また、端子台111が定位置に移動することにより、例えばスイッチが入ったり、センサで検知することにより、あるいは、移動位置では端子台111と制御ユニット16の基板などとの配線距離が長くなるために外していた配線を定位置において接続することにより、制御ユニット16（蓄電池装置11）が起動可能となる。
【００９４】
そして、端子台111に配線Ｃを接続する際、例えば、端子台111と本体部76の端板65との距離が近いと、端子台111に配線Ｃを接続しずらいが、端子台111を図１４矢印方向の第２の位置に移動させて端板65から離すことにより、端子台111に配線Ｃを接続するための作業スペースを確保し、端子台111に配線Ｃを接続しやすくできる。あるいは、端子台111がユニット本体41内（第２の位置）に配置されていると、端子台111に配線Ｃを接続しずらいが、端子台111を図１４に示す第１の位置に移動させてユニット本体41から引き出すことにより、端子台111に配線Ｃを接続しやすくできる。
【００９５】
このように、端子台111を移動可能とすることにより、設置時の組立性を向上できる。
【００９６】
さらに、端子台111が定位置に移動することにより、制御ユニット16（蓄電池装置11）が起動可能となるため、端子台111が定位置にないまま起動され、故障などが生じるのを防止できる。
【００９７】
また、固定具113によって端子台111を任意の位置に固定できるため、端子台111に配線Ｃを接続する際に端子台111が動かず、作業性を向上できる。
【００９８】
次に、図１５および図１６に、第８の実施形態を示す。
【００９９】
制御ユニット16が第１の部品121、基板122および第２の部品123を備えこれら第１の部品121、基板122および第２の部品123が上下方向に重なるように配置される場合を示す。
【０１００】
基板122は、第２の部品123に重なる位置と重ならいない位置との間で移動可能としている。制御ユニット16にガイドレール124が設けられ、このガイドレール124に沿って基板122がスライド可能とする。基板122には、ガイドレール124に対して固定・固定解除可能とする固定具125を備えている。固定具125は、例えばボルト・ナットである。また、基板122は、回路基板42または回路基板43などを含む。
【０１０１】
第１の部品121についても、基板122と同じ方向にスライド可能に設けてもよい。
【０１０２】
また、基板122などが定位置に移動することにより、例えばスイッチが入ったり、センサで検知することにより、あるいは、移動位置では基板122と第２の部品123との配線距離が長くなるために外していた配線を定位置において接続することにより、制御ユニット16（蓄電池装置11）が起動可能となる。
【０１０３】
そして、図１５に、第１の部品121、基板122および第２の部品123の使用状態での所定の位置である。
【０１０４】
メンテナンス時などには、図１６に示すように、基板122の移動方向に位置するカバー126（制御ユニット16の端面部51または筐体17の端板65）を外し、基板122を右方向に移動させる。このとき、第１の部品121も右方向に移動させる。これらにより、通常は第１の部品121や基板122の下側に隠れている第２の部品123を露出させて検査や交換を行うことができる。また、基板122の検査や交換の際には、基板122を上下の部品121，123間から右方向に取り出すことができる。
【０１０５】
このように、基板122などを移動可能とすることにより、メンテナンスの作業性を向上できる。
【０１０６】
さらに、基板122などが定位置に移動することにより、制御ユニット16（蓄電池装置11）が起動可能となるため、基板122などが定位置にないまま起動され、故障などが生じるのを防止できる。
【０１０７】
また、固定具125によって基板122を任意の位置に固定できるため、第２の部品123のメンテナンスや交換を行う際に基板122が動かず、作業性を向上できる。
【０１０８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０９】
11    蓄電池装置
15    蓄電池モジュール
16    制御ユニット
17    筐体
20    蓄電池本体
23    端子部
44    電源端子台
45    通信接続部
47    接続部としての電源コネクタ
48    接続部としての通信コネクタ
91    位置決め構造
【図１】
2019175561.tif 000003
【図２】
2019175561.tif 000004
【図３】
2019175561.tif 000005
【図４】
2019175561.tif 000006
【図５】
2019175561.tif 000007
【図６】
2019175561.tif 000008
【図７】
2019175561.tif 000009
【図８】
2019175561.tif 000010
【図９】
2019175561.tif 000011
【図１０】
2019175561.tif 000012
【図１１】
2019175561.tif 000013
【図１２】
2019175561.tif 000014
【図１３】
2019175561.tif 000015
【図１４】
2019175561.tif 000016
【図１５】
2019175561.tif 000017
【図１６】
2019175561.tif 000018